(57)【要約】【課題】電磁接触器の交換に際して新設の電磁接触器に対する誤配線を防止できるとともに、電磁接触器に接続される複数の配線を容易に保持できるようにする。【解決手段】本発明に係る電磁接触器の交換装置は、複数の配線１２のそれぞれが挿入可能な切り欠き１５ａ等と、切り欠き１５ａ等に連設され、配線１２の端子１３の落下を規制し、既設の電磁接触器１４及び新設の電磁接触器の配線接続位置に対応した位置に設けられ、配線１２の挿通を可能にする貫通穴１５ｂ等と、制御盤６の側板６ａに接着可能な磁石１５ｃ等とを有し、複数の配線１２を配線接続位置を維持した状態で保持可能な保持治具、例えば第１ゴム板１５等を備えている。【選択図】図１０
2017169423.tif 000002
【特許請求の範囲】
【請求項１】
エレベーターの制御盤に収納され複数の配線が接続された既設の電磁接触器を、新設の電磁接触器に交換する際に用いられる電磁接触器の交換装置であって、
前記複数の配線のそれぞれが配線の延設方向と直交する方向から挿入可能な複数の切り欠きと、前記切り欠きのそれぞれに連設され、前記複数の配線のそれぞれの端部に設けられた端子の落下を規制する形状寸法に設定され、前記既設の電磁接触器及び前記新設の電磁接触器の配線接続位置に対応した位置に設けられ、前記複数の配線のそれぞれの挿通を可能にする複数の貫通穴と、所定部位に接着可能な磁石とを有し、前記複数の配線のそれぞれを保持可能な保持治具を備えたことを特徴とする電磁接触器の交換装置。
【請求項２】
請求項１に記載の電磁接触器の交換装置であって、
前記保持治具は、ゴム板から成ることを特徴とする電磁接触器の交換装置。
【請求項３】
請求項２に記載の電磁接触器の交換装置であって、
前記切り欠きは、前記複数の配線のそれぞれの径寸法よりも小さな幅寸法に設定してあり、
前記貫通穴の径寸法は、前記複数の配線のそれぞれの径寸法よりも大きく、前記端子の幅寸法の最大値よりも小さく設定してあることを特徴とする電磁接触器の交換装置。
【請求項４】
請求項１に記載の電磁接触器の交換装置であって、
前記保持治具は、前記既設の電磁接触器及び前記新設の電磁接触器のそれぞれに対する前記配線接続位置を示す複数の標示を有する標示部を備えたことを特徴とする電磁接触器の交換装置。
【請求項５】
請求項１に記載の電磁接触器の交換装置であって、
前記制御盤に着脱可能に設けられ、前記既設の電磁接触器及び前記新設の電磁接触器の収納を可能にする枠体を備えたことを特徴とする電磁接触器の交換装置。
【請求項６】
複数の配線のそれぞれが配線の延設方向と直交する方向から挿入可能な複数の切り欠きと、前記切り欠きのそれぞれに連設され、前記複数の配線のそれぞれの端部に設けられた端子の落下を規制する形状寸法に設定され、既設の電磁接触器及び新設の電磁接触器の配線接続位置に対応した位置に設けられ、前記複数の配線のそれぞれの挿通を可能にする複数の貫通穴と、所定部位に接着可能な磁石とを有し、前記複数の配線のそれぞれを保持可能な保持治具を備えた電磁接触器の交換装置を用いて、エレベーターの制御盤に収納された前記複数の配線が接続された前記既設の電磁接触器を前記新設の電磁接触器に交換する電磁接触器の交換方法であって、
前記保持治具の押圧により前記複数の配線を前記保持治具の前記切り欠きから前記貫通穴に挿入させ、前記保持治具によって前記配線接続位置を維持した状態で前記複数の配線を前記既設の電磁接触器から取り外し、
その後、前記磁石で保持治具を前記所定部位に接着させることにより、前記既設の電磁接触器から取り外した前記複数の配線を前記保持治具で前記配線接続位置を維持した状態で前記所定部位に仮保持させ、
その後、前記既設の電磁接触器を前記制御盤から取り外して前記新設の電磁接触器を前記制御盤に取り付け、
その後、前記保持治具を前記所定部位から取り外し、前記保持治具を前記新設の電磁接触器に接近させ、前記配線接続位置を維持した状態で前記仮保持されていた前記複数の配線を前記新設の電磁接触器の前記配線接続位置に接続し、
その後、前記保持治具を前記複数の配線から引き抜くことを特徴とする電磁接触器の交換方法。
【発明の詳細な説明】
【技術分野】
【０００１】
本発明は、エレベーターの制御盤に収納された既設の電磁接触器を新設の電磁接触器に交換する際に用いられる電磁接触器の交換装置及び交換方法に関する。
【背景技術】
【０００２】
特許文献１には、電磁接触器に接続された複数の配線の並びを維持する本体と、この本体に着脱自在に設けられ、本体に取り付けられた際に本体と共に複数の配線の並びを維持した状態で複数の配線を保持するカバーとを備え、電磁接触器の交換時において配線の接続が間違えられることを防止できる電磁接触器の配線保持治具が開示されている。
【先行技術文献】
【特許文献】
【０００３】
【特許文献１】特開２０１５−１６２９４９号公報
【発明の概要】
【発明が解決しようとする課題】
【０００４】
前述した特許文献１に開示された従来技術は、電磁接触器に接続された複数の配線を保持する配線保持治具が、本体とカバーとから成るので部材数が多くなり、配線保持治具の管理が煩雑になるとともに、複数の配線を保持する際に本体にカバーを取り付ける作業が必要になるので、複数の配線の保持作業に時間が掛かる問題がある。
【０００５】
上記課題を解決するために、本発明の目的は、電磁接触器の交換に際して電磁接触器に対する誤配線を防止できるとともに、電磁接触器に接続される複数の配線の保持を容易に行うことができる電磁接触器の交換装置及び交換方法を提供することにある。
【課題を解決するための手段】
【０００６】
上記課題を解決するために、本発明に係る電磁接触器の交換装置は、エレベーターの制御盤に収納され複数の配線が接続された既設の電磁接触器を、新設の電磁接触器に交換する際に用いられる電磁接触器の交換装置であって、前記複数の配線のそれぞれが配線の延設方向と直交する方向から挿入可能な複数の切り欠きと、前記切り欠きのそれぞれに連設され、前記複数の配線のそれぞれの端部に設けられた端子の落下を規制する形状寸法に設定され、前記既設の電磁接触器及び前記新設の電磁接触器の配線接続位置に対応した位置に設けられ、前記複数の配線のそれぞれの挿通を可能にする複数の貫通穴と、所定部位に接着可能な磁石とを有し、前記複数の配線のそれぞれを保持可能な保持治具を備えたことを特徴としている。
【０００７】
また、本発明に係る電磁接触器の交換方法は、複数の配線のそれぞれが配線の延設方向と直交する方向から挿入可能な複数の切り欠きと、前記切り欠きのそれぞれに連設され、前記複数の配線のそれぞれの端部に設けられた端子の落下を規制する形状寸法に設定され、既設の電磁接触器及び新設の電磁接触器の配線接続位置に対応した位置に設けられ、前記複数の配線のそれぞれの挿通を可能にする複数の貫通穴と、所定部位に接着可能な磁石とを有し、前記複数の配線のそれぞれを保持可能な保持治具を備えた電磁接触器の交換装置を用いて、エレベーターの制御盤に収納された前記複数の配線が接続された前記既設の電磁接触器を前記新設の電磁接触器に交換する電磁接触器の交換方法であって、前記保持治具の押圧により前記複数の配線を前記保持治具の前記切り欠きから前記貫通穴に挿入させ、前記保持治具によって前記配線接続位置を維持した状態で前記複数の配線を前記既設の電磁接触器から取り外し、その後、前記磁石で保持治具を前記所定部位に接着させることにより、前記電磁接触器から取り外した前記複数の配線を前記保持治具で前記配線接続位置を維持した状態で前記所定部位に仮保持させ、その後、前記既設の電磁接触器を前記制御盤から取り外して前記新設の電磁接触器を前記制御盤に取り付け、その後、前記保持治具を前記所定部位から取り外し、前記保持治具を前記新設の電磁接触器に接近させ、前記配線接続位置を維持した状態で前記仮保持されていた前記複数の配線を前記新設の電磁接触器の前記配線接続位置に接続し、その後、前記保持治具を前記複数の配線から引き抜くことを特徴としている。
【発明の効果】
【０００８】
本発明に係る電磁接触器の交換装置及び交換方法によれば、保持治具を電磁接触器に接続された複数の配線の単に横方向から押圧するだけで、保持治具によって複数の配線を既設の電磁接触器及び新設の電磁接触器の配線接続位置を維持した状態で容易に保持させることができる。すなわち本発明は、電磁接触器の交換に際して新設の電磁接触器に対する誤配線を防止できるとともに、電磁接触器に接続される複数の配線の保持を容易に行うことができる。これにより本発明は、既設の電磁接触器を新設の電磁接触器に交換する交換作業の能率を従来よりも向上させることができる。前述した以外の課題、構成及び効果は、以下の実施形態の説明により明らかにされる。
【図面の簡単な説明】
【０００９】
【図１】本発明の交換対象である電磁接触器が収納された制御盤を備えたエレベーターの一例を示す側面図である。
【図２】図１に示したエレベーターの制御盤に収納された既設の電磁接触器を示す正面図である。
【図３】本発明に係る電磁接触器の交換装置の一実施形態に備えられる第１保持治具を構成する第１ゴム板を示す平面図である。
【図４】本実施形態に係る電磁接触器の交換装置に備えられる第２保持治具を構成する第２ゴム板を示す平面図である。
【図５】本実施形態に係る電磁接触器の交換装置に備えられる第３保持治具を構成する第３ゴム板を示す平面図である。
【図６】本実施形態に係る電磁接触器の交換装置に備えられる枠体を示す斜視図である。
【図７】第１ゴム板及び第２ゴム板を用いて既設の電磁接触器から複数の配線を取り外した状態を示す正面図である。
【図８】第１ゴム板の磁石及び第２ゴム板の磁石によって、第１ゴム板及び第２ゴム板を制御盤の側板に接着させることにより、取り外した複数の配線を制御盤に仮保持させた状態を示す正面図である。
【図９】第３ゴム板を用いて既設の電磁接触器から複数の配線を取り外したときの状態を示す正面図である。
【図１０】全ての配線を電磁接触器から取り外した後に、既設の電磁接触器を囲むように枠体を配置した状態を示す正面図である。
【図１１】枠体から既設の電磁接触器を取り外した状態を示す正面図である。
【発明を実施するための形態】
【００１０】
以下、本発明に係る電磁接触器の交換装置及び交換方法の実施の形態を図面に基づいて説明する。
【００１１】
図１に示すように、交換対象である電磁接触器が備えられるエレベーターは、昇降路１の内部において昇降する乗りかご２と、この乗りかご２との重量バランスを確保するつり合い重り３と、乗りかご２とつり合い重り３とを連結する主ロープ４とを備えている。また、主ロープ４を移動させる巻上機５と、この巻上機５を駆動する制御信号を出力する制御盤６とを備えている。制御盤６に交換対象の既設の電磁接触器が収納されている。
【００１２】
［交換対象の既設の電磁接触器の構成］
図２に示すように、交換対象の既設の電磁接触器１４には、端子１３が一体に設けられた複数の配線１２が接続されている。既設の電磁接触器１４を新設の電磁接触器に交換する際には、既設の電磁接触器１４に接続された全ての配線１２を既設の電磁接触器１４から取り外すことが必要になる。
【００１３】
既設の電磁接触器１４は、最下方位置に設けられ、配線１２の端子１３がねじ１４ｄによって締結される複数の端子台１４ａ１から成る第１端子台群１４ａと、上方位置に設けられる配線１２の端子１３がねじ１４ｄによって締結される複数の端子台１４ｂ１から成る第２端子台群１４ｂと、最上方位置に設けられ、配線１２の端子１３がねじ１４ｄによって締結される複数の端子台１４ｃ１から成る第３端子台群１４ｃとを備えている。この既設の電磁接触器１４は制御盤６の背板６ｂに図示しないねじにより固定されている。
【００１４】
［本実施形態に係る交換装置の構成］
既設の電磁接触器１４を新設の電磁接触器に交換する際に用いられる本実施形態に係る交換装置は、既設の電磁接触器１４及び新設の電磁接触器の配線接続位置を維持した状態で複数の配線１２のそれぞれを保持可能な保持治具と、制御盤６に着脱可能に設けられ、既設の電磁接触器１４及び新設の電磁接触器の収納を可能にする枠体とを備えている。
【００１５】
図３〜図５に示すように、前述した保持治具は、第１保持治具を構成する第１ゴム板１５と、第２保持治具を構成する第２ゴム板１６と、第３保持治具を構成する第３ゴム板１７とから成る。
【００１６】
第１ゴム板１５は、既設の電磁接触器１４の前述した最下方位置に設けられた第１端子台群１４ａの端子台１４ａ１のそれぞれに接続された複数の配線１２の取り外しと、新設の電磁接触器の対応する位置の端子台のそれぞれに複数の配線１２を取り付ける際に用いる。第２ゴム板１６は、既設の電磁接触器１４の前述した上方位置に設けられた第２端子台群１４ｂの端子台１４ｂ１のそれぞれに接続された複数の配線１２の取り外しと、新設の電磁接触器の対応する位置の端子台のそれぞれに複数の配線１２を取り付ける際に用いる。第３ゴム板１７は、既設の電磁接触器１４の前述した最上方位置に設けられた第３端子台群１４ｃの端子台１４ｃ１のそれぞれに接続された複数の配線１２の取り外しと、新設の電磁接触器の対応する位置の端子台のそれぞれに複数の配線１２を取り付ける際に用いる。
【００１７】
図３に示すように、第１ゴム板１５は、複数の配線１２のそれぞれが当該配線１２の延設方向と直交する方向から挿入可能な複数の切り欠き１５ａを備えている。また、これらの切り欠き１５ａに連設され、配線接続位置すなわち第１端子台群１４ａの各端子台１４ａ１に接続された複数の配線１２の挿通を可能にする複数の貫通穴１５ｂを備えている。また、同図３には示されていないが、裏面に所定部位例えば制御盤６の側板６ａに接着可能な後述の磁石１５ｃを備えている。
【００１８】
複数の貫通穴１５ｂのそれぞれの対応した位置には、配線接続位置を示す標示、すなわち「１４」「２」等の数字あるいは英文字が付された標示部１５ｄを設けてある。なお、既設の電磁接触器１４の配線接続位置、及び新設の電磁接触器の配線接続位置にも、標示部１５ｄの各標示と同等の標示が付されている。
【００１９】
第１ゴム板１５の切り欠き１５ａは、複数の配線１２のそれぞれの径寸法よりも小さな幅寸法に設定してあり、貫通穴１５ｂの径寸法は、複数の配線１２のそれぞれの径寸法よりも大きく、端子１３の幅寸法の最大値よりも小さく設定してある。
【００２０】
図４に示すように、第２ゴム板１６も、第１ゴム板１５と同様の複数の切り欠き１６ａと、複数の貫通穴１６ｂと、標示部１６ｄとを備えている。また同図４には示されていないが、裏面に制御盤６の側板６ａに接着可能な後述の磁石１６ｃを備えている。
【００２１】
図５に示すように、第３ゴム板１７は、第１ゴム板１５及び第２ゴム板１６に比べれば形状が小さく設定されているものの、基本的にはこの第３ゴム板１７も、第１ゴム板１５、第２ゴム板１６と同様の複数の切り欠き１７ａと、複数の貫通穴１７ｂと、標示部１７ｄとを備えている。また同図５には示されていないが裏面に制御盤６の側板６ａに接着可能な磁石１７ｃを備えている。
【００２２】
図６に示すように、本実施形態に備えられる枠体１８は、上板１８ａと、下板１８ｂと、互いに対向する側板１８ｃ，１８ｄとを有する例えば正面視が４角形から成り、既設の電磁接触器１４及び新設の電磁接触器の外径寸法よりも大きな形状寸法に設定され、軽量の合成樹脂によって作製されている。この枠体１８は、制御盤６の背板６ｂに固定具、例えば接着テープによって固定される。また、この枠体１８を引き抜くことによって接着テープが剥がれ、この枠体１８を制御盤６から離脱させることができる。
【００２３】
［本実施形態に係る交換装置を用いて行う電磁接触器の交換方法］
以下、前述した第１ゴム板１５、第２ゴム板１６、第３ゴム板１７、及び枠体１８を用いて既設の電磁接触器１４を新設の電磁接触器に交換する交換方法を図７〜図１１に基づいて説明する。
【００２４】
図７に示すように、例えば第１ゴム板１５を水平状態に保って、既設の電磁接触器１４の最下方に位置する第１端子台群１４ａに接近させ、第１ゴム板１５を第１端子台群１４ａに接続されている複数の配線１２の横方向から押圧して、第１端子台群１４ａに接続されている複数の配線１２を、第１ゴム板１５の切り欠き１５ａから貫通穴１５ｂに挿入させる。第１ゴム板１５によって配線接続位置を維持した状態で、ねじ１４ｄを第１端子台群１４ａの各端子台１４ａ１のねじ穴１４ａ２から抜き取り、端子１３を端子台１４ａ１から取り外して、第１ゴム板１５を移動させて、既設の電磁接触器１４から第１端子台群１４ａに接続されていた全ての配線１２を同時に下方に引き抜く。
【００２５】
また、第２ゴム板１６を既設の電磁接触器１４の上方に位置する第２端子台群１４ｂに接近させ、第２ゴム板１６を第２端子台群１４ｂに接続されている複数の配線１２の横方向から押圧して、第２端子台群１４ｂに接続されている複数の配線１２を第２ゴム板１６の切り欠き１６ａから貫通穴１６ｂに挿入させる。第２ゴム板１６によって配線接続位置を維持した状態で、ねじ１４ｄを第２端子台群１４ｂの各端子台１４ｂ１のねじ穴１４ｂ２から抜き取り、端子１３を端子台１４ｂ１から取り外して、第２ゴム板１６を移動させて、既設の電磁接触器１４から第２端子台群１４ｂに接続されていた全ての配線１２を同時に上方に引き抜く。
【００２６】
その後図８に示すように、磁石１５ｃで第１ゴム板１５を制御盤６の側板６ａに接着させることにより、また磁石１６ｃで第ゴム板１６を制御盤６の側板６ａに接着させることにより、複数の配線１２を、第１ゴム板１５、第２ゴム板１６によってそれぞれ配線接続位置を維持した状態で、制御盤６の側板６ａに仮保持させる。
【００２７】
その後図９に示すように、第３ゴム板１７を既設の電磁接触器１４の最上方に位置する第３端子台群１４ｃに接近させ、第３ゴム板１７を第３端子台群１４ｃに接続されている複数の配線１２の横方向から押圧して、第３端子台群１４ｃに接続されていた複数の配線１２を第３ゴム板１７の切り欠き１７ａから貫通穴１７ｂに挿入させる。第３ゴム板１７によって配線接続位置を維持した状態で、ねじ１４ｄを第３端子台群１４ｃの各端子台１４ｃ１から取り外して、第３ゴム板１７を移動させて、既設の電磁接触器１４から第３端子台群１４ｃに接続されていた全ての配線１２を同時に上方に引き抜く。
【００２８】
その後図１０に示すように、磁石１７ｃで第３ゴム板１７を制御盤６の側板６ａに接着させることにより、複数の配線１２を、第３ゴム板１７でそれぞれ配線接続位置を維持した状態で、制御盤６の側板６ａに仮保持させる。
【００２９】
その後同図１０に示すように、既設の電磁接触器１４を囲むように配置した枠体１８を、図示しない接着テープで制御盤６の背板６ｂに固定する。
【００３０】
この状態で既設の電磁接触器１４を制御盤６に取り付けていた図示しないねじを抜き取り、既設の電磁接触器１４を制御盤６から取り外して、図１１に示すように枠体１８から取り出す。
【００３１】
このようにして既設の電磁接触器１４を制御盤６から取り出した後、図示しない新設の電磁接触器が制御盤６に取り付けられるが、この新設の電磁接触器の取り付け手順は、前述した既設の電磁接触器１４の取り外し手順の逆の手順となる。
【００３２】
すなわち、新設の電磁接触器を制御盤６に取り付ける際には、枠体１８の内部に新設の電磁接触器を収納し、新設の電磁接触器を図示しないねじによって制御盤６の背板６ｂに取り付ける。この状態で枠体１８を制御盤６から引き抜き、制御盤６から離脱させる。
【００３３】
その後例えば、第３ゴム板１７を制御盤６の側板６ａから取り外し、第３ゴム板１７を新設の電磁接触器の第３端子台群に接近させ、配線接続位置を保った状態で仮保持されていた複数の配線１２を、新設の電磁接触器の配線接続位置に付されている標示部の標示と、第３ゴム板１７の標示部１７ｄの標示を一致させるようにして新設の電磁接触器の第３端子台群にねじ１４ｄによって接続する。接続後には、第３ゴム板１７を複数の配線１２から引き抜く。
【００３４】
以下同様にして、第２ゴム板１６の標示部１６ｄの標示と新設の電磁接触器の標示部の標示とを一致させるようにして、第２ゴム板１６に保持されている複数の配線１２を新設の電磁接触器の第２端子台群に接続し、この第２ゴム板１６を複数の配線１２から引き抜く。また、第１ゴム板１５の標示部１５ｄの標示と新設の電磁接触器の標示部の標示を一致させるようにして第１ゴム板１５に保持されている複数の配線１２を新設の電磁接触器の第１端子台群に接続し、この第１ゴム板１５を複数の配線１２から引き抜く。これにより、既設の電磁接触器１４を新設の電磁接触器に交換する作業が終了する。
【００３５】
以上のように構成した本実施形態に係る電磁接触器の交換装置、及び交換方法によれば、前述したように電磁接触器の交換に際して新設の電磁接触器に対する誤配線を防止できるとともに、第１ゴム板１５、第２ゴム板１６、及び第３ゴム板１７を電磁接触器に接続されている複数の配線１２の単に横方向から押圧するだけで、これらの第１ゴム板１５、第２ゴム板１６、及び第３ゴム板１７によって複数の配線１２を、既設の電磁接触器１４及び図示しない新設の電磁接触器の配線接続位置を維持した状態で容易に保持させることができる。すなわち本実施形態は、電磁接触器の交換に際して新設の電磁接触器に対する誤配線を防止できるとともに、電磁接触器に接続される複数の配線１２の保持を容易に行うことができる。
【００３６】
また、既設の電磁接触器１４の制御盤６からの取り外し前に、既設の電磁接触器１４を囲むようにして枠体１８を制御盤６に取り付け、この状態で既設の電磁接触器１４を制御盤６から取り外し、枠体１８に収納した新設の電磁接触器を制御盤６に取り付け、その後に枠体１８を制御盤６から離脱させることにより、制御盤６における新設の電磁接触器の取り付け領域への配線１２の入り込みを防止することができる。これらにより本実施形態は、既設の電磁接触器１４を新設の電磁接触器に交換する交換作業の能率を向上させることができる。
【００３７】
また、第１〜第３ゴム板１５〜１７の貫通穴１５ｂ〜１７ｂは、配線１２の径寸法よりも大きな径寸法に設定してあることから、既設の電磁接触器１４からの配線１２の取り外し時に、また、新設の電磁接触器への配線１２の取り付け時に、配線１２の微少な動きを許容させることができる。これにより配線１２の取り付け、取り外し作業の能率の向上に貢献する。
【００３８】
なお、前述した実施形態にあっては、枠体１８を正面視が四角形になるように形成したが、本発明は、このように枠体１８を四角形に構成することには限定されない。既設の電磁接触器１４及び新設の電磁接触器の収納が可能な形状のものであれば、正面視が四角形とは異なる多角形に、または円筒に形成してもよい。
【００３９】
また、枠体１８を制御盤６に固定する固定具として接着テープを挙げたが、接着テープに代えて、枠体１８を制御盤６の背板６ｂに接着する磁石を備えた構成にしてもよい。
【００４０】
また、枠体１８を合成樹脂によって作製したが、枠体１８を第１ゴム板１５の磁石１５ｃ、第２ゴム板１６の磁石１６ｃ、及び第３ゴム板１７の磁石１７ｃのうちのいずれか、または全てが接着可能な金属部を有する構成にしてもよい。
【００４１】
例えば枠体１８の全体を、磁石１５ｃ，１６ｃ，１７ｃの全ての接着が可能な金属板によって構成してもよい。このように枠体１８を金属板によって構成したものでは、枠体１８に第１ゴム板１５、第２ゴム板１６、及び第３ゴム板１７を接着させた状態で、電磁接触器の交換時期に至るまで、これらの枠体１８、第１ゴム板１５、第２ゴム板１６、及び第３ゴム板１７を分散させることなく保管しておくことができる。また、電磁接触器の交換に際しては、交換現場まで枠体１８に第１ゴム板１５、第２ゴム板１６、及び第３ゴム板１７を接着させた状態で当該交換装置を運搬することができ、当該交換装置の運搬の利便性を向上させることができる。
【００４２】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００４３】
６・・制御盤，６ａ・・側板（所定部位），６ｂ・・背板，１２・・配線，１３・・端子，１４・・既設の電磁接触器，１４ａ・・第１端子台群，１４ａ１・・端子台，１４ａ２・・ねじ穴，１４ｂ・・第２端子台群，１４ｂ１・・端子台，１４ｂ２・・ねじ穴，１４ｃ・・第３端子台群，１４ｃ１・・端子台，１４ｃ２・・ねじ穴，１４ｄ・・ねじ，１５・・第１ゴム板（第１保持治具），１５ａ・・切り欠き，１５ｂ・・貫通穴，１５ｃ・・磁石，１５ｄ・・標示部，１６・・第２ゴム板（第２保持治具），１６ａ・・切り欠き，１６ｂ・・貫通穴，１６ｃ・・磁石，１６ｄ・・標示部，１７・・第３ゴム板（第３保持治具），１７ａ・・切り欠き，１７ｂ・・貫通穴，１７ｃ・・磁石，１７ｄ・・標示部，１８・・枠体，１８ａ・・上板，１８ｂ・・下板，１８ｃ・・側板，１８ｄ・・側板
【図１】
2017169423.tif 000003
【図２】
2017169423.tif 000004
【図３】
2017169423.tif 000005
【図４】
2017169423.tif 000006
【図５】
2017169423.tif 000007
【図６】
2017169423.tif 000008
【図７】
2017169423.tif 000009
【図８】
2017169423.tif 000010
【図９】
2017169423.tif 000011
【図１０】
2017169423.tif 000012
【図１１】
2017169423.tif 000013